【手続補正書】
【提出日】平成20年9月25日(2008.9.25)
【手続補正１】
【補正対象書類名】特許請求の範囲
【補正対象項目名】全文
【補正方法】変更
【補正の内容】
【特許請求の範囲】
【請求項１】
波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記光源手段から出射された光束の波長変動に伴う前記入射光学系と前記結像光学系の分光透過率の変動を検出する光量検知手段と、
前記光量検知手段で検知された検出値に基づいて前記光源手段の出力を制御する制御手段と、を有し、
前記光量検知手段は、前記被走査面と共役の位置に配置され、前記光量検知手段は、前記入射光学系及び前記偏向手段及び前記結像光学系を通過した光束を検知しており、
前記制御手段は、温度変化があったとき、前記光源手段の出力を変化させることを特徴とする光走査装置。
【請求項２】
波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記結像光学系を構成する屈折光学素子はアッベ数が４０以上の材料より成り、
前記光源手段から出射された光束の波長変動に伴う前記入射光学系の分光透過率の変動を検出する光量検知手段と、
前記光量検知手段で検知された検出値に基づいて前記光源手段の出力を制御する制御手段と、を有し、
前記光量検知手段は、前記入射光学系及び前記偏向手段を通過した光束を検知しており、
前記制御手段は、温度変化があったとき、前記光源手段の出力を変化させることを特徴とする光走査装置。
【請求項３】
波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記光源手段から出射した光束の一部を分割する光分割手段と、前記光分割手段で分割された光束を検出する光量検知手段と、前記光分割手段と前記光量検知手段との間に配置した補正板と、を有し、
前記補正板は、前記光源手段から出射された光束の波長変動に伴う前記入射光学系と前記結像光学系の分光透過率の変動と同一又は比例する光学特性を有しており、
温度変化があったとき、前記光量検知手段で検知された検出値に基づいて、前記光源手段の出力を変化させる制御手段を有することを特徴とする光走査装置。
【請求項４】
波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記光源手段から出射した光束の一部を分割する光分割手段と、前記光分割手段で分割された光束を検出する光量検知手段と、を有し、
前記光量検知手段は、前記光源手段から出射された光束の波長変動に伴う前記入射光学系と前記結像光学系の分光透過率の変動と同一又は比例する感度特性を有しており、
温度変化があったとき、前記光量検知手段で検知された検出値に基づいて、前記光源手段の出力を変化させる制御手段を有することを特徴とする光走査装置。
【請求項５】
波長が４５０nm以下の光束を出射する複数の発光部を有する光源手段と、前記複数の発光部から出射した複数の光束を偏向走査する偏向手段に入射させる入射光学系と、前記偏向手段の偏向面で偏向走査された複数の光束を被走査面上に結像させる結像光学系とを具備する光走査装置において、
前記光源手段と前記偏向手段との間の光路中に波長変動補正板を有し、
前記波長変動補正板は、前記光源手段から出射された光束の波長の変動領域において、前記入射光学系と前記結像光学系の分光透過率分布と逆の分光透過率分布を有する材料より成り、かつ、
前記波長変動補正板は、前記光源手段の複数の発光部から放射された光束間に波長差があるとき各光束が前記被走査面に入射するときの光束間の光量差を少なくする分光透過率分布を有していることを特徴とする光走査装置。
【請求項６】
波長が４５０nm以下の光束を出射する光源手段と、前記光源手段から出射した光束を偏向走査する偏向手段に入射させる入射光学系と、前記偏向手段の偏向面で偏向走査された複数の光束を被走査面上に結像させる結像光学系とを具備する光走査装置において、
前記光源手段の周囲に、温度を検出する温度センサーと、前記温度センサーからの出力信号に基づいて前記光源手段から出射された光束の波長変動に伴う前記入射光学系と前記結像光学系の分光透過率の変動を予測する予測手段と、
前記予測手段からの信号に基づいて、前記光源手段の出力を変化させる制御手段を有することを特徴とする光走査装置。
【請求項７】
請求項１乃至６の何れか１項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項８】
請求項１乃至６の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１５
【補正方法】変更
【補正の内容】
【００１５】
請求項１の発明の光走査装置は、波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記光源手段から出射された光束の波長変動に伴う前記入射光学系と前記結像光学系の分光透過率の変動を検出する光量検知手段と、
前記光量検知手段で検知された検出値に基づいて前記光源手段の出力を制御する制御手段と、を有し、
前記光量検知手段は、前記被走査面と共役の位置に配置され、前記光量検知手段は、前記入射光学系及び前記偏向手段及び前記結像光学系を通過した光束を検知しており、
前記制御手段は、温度変化があったとき、前記光源手段の出力を変化させることを特徴としている。
【手続補正３】
【補正対象書類名】明細書
【補正対象項目名】００１６
【補正方法】変更
【補正の内容】
【００１６】
請求項２の発明の光走査装置は、波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記結像光学系を構成する屈折光学素子はアッベ数が４０以上の材料より成り、
前記光源手段から出射された光束の波長変動に伴う前記入射光学系の分光透過率の変動を検出する光量検知手段と、
前記光量検知手段で検知された検出値に基づいて前記光源手段の出力を制御する制御手段と、を有し、
前記光量検知手段は、前記入射光学系及び前記偏向手段を通過した光束を検知しており、
前記制御手段は、温度変化があったとき、前記光源手段の出力を変化させることを特徴としている。
【手続補正４】
【補正対象書類名】明細書
【補正対象項目名】００１７
【補正方法】変更
【補正の内容】
【００１７】
請求項３の発明の光走査装置は、波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記光源手段から出射した光束の一部を分割する光分割手段と、前記光分割手段で分割された光束を検出する光量検知手段と、前記光分割手段と前記光量検知手段との間に配置した補正板と、を有し、
前記補正板は、前記光源手段から出射された光束の波長変動に伴う前記入射光学系と前記結像光学系の分光透過率の変動と同一又は比例する光学特性を有しており、
温度変化があったとき、前記光量検知手段で検知された検出値に基づいて、前記光源手段の出力を変化させる制御手段を有することを特徴としている。
【手続補正５】
【補正対象書類名】明細書
【補正対象項目名】００１８
【補正方法】変更
【補正の内容】
【００１８】
請求項４の発明の光走査装置は、波長が４５０nm以下の光束を出射する光源手段と、前記光源手段から出射した光束を偏向走査する偏向手段に入射させる入射光学系と、前記偏向手段の偏向面で偏向走査された光束を被走査面上に結像させる結像光学系とを具備する光走査装置において、
前記光源手段から出射した光束の一部を分割する光分割手段と、前記光分割手段で分割された光束を検出する光量検知手段と、を有し、
前記光量検知手段は、前記光源手段から出射された光束の波長変動に伴う前記入射光学系と前記結像光学系の分光透過率の変動と同一又は比例する感度特性を有しており、
温度変化があったとき、前記光量検知手段で検知された検出値に基づいて、前記光源手段の出力を変化させる制御手段を有することを特徴としている。
【手続補正６】
【補正対象書類名】明細書
【補正対象項目名】００１９
【補正方法】変更
【補正の内容】
【００１９】
請求項５の発明の光走査装置は、波長が４５０nm以下の光束を出射する複数の発光部を有する光源手段と、前記複数の発光部から出射した複数の光束を偏向走査する偏向手段に入射させる入射光学系と、前記偏向手段の偏向面で偏向走査された複数の光束を被走査面上に結像させる結像光学系とを具備する光走査装置において、
前記光源手段と前記偏向手段との間の光路中に波長変動補正板を有し、
前記波長変動補正板は、前記光源手段から出射された光束の波長の変動領域において、前記入射光学系と前記結像光学系の分光透過率分布と逆の分光透過率分布を有する材料より成り、かつ、
前記波長変動補正板は、前記光源手段の複数の発光部から放射された光束間に波長差があるとき各光束が前記被走査面に入射するときの光束間の光量差を少なくする分光透過率分布を有していることを特徴としている。
【手続補正７】
【補正対象書類名】明細書
【補正対象項目名】００２０
【補正方法】変更
【補正の内容】
【００２０】
請求項６の発明の光走査装置は、波長が４５０nm以下の光束を出射する光源手段と、前記光源手段から出射した光束を偏向走査する偏向手段に入射させる入射光学系と、前記偏向手段の偏向面で偏向走査された複数の光束を被走査面上に結像させる結像光学系とを具備する光走査装置において、
前記光源手段の周囲に、温度を検出する温度センサーと、前記温度センサーからの出力信号に基づいて前記光源手段から出射された光束の波長変動に伴う前記入射光学系と前記結像光学系の分光透過率の変動を予測する予測手段と、
前記予測手段からの信号に基づいて、前記光源手段の出力を変化させる制御手段を有することを特徴としている。
【手続補正８】
【補正対象書類名】明細書
【補正対象項目名】００２１
【補正方法】変更
【補正の内容】
【００２１】
請求項７の発明の画像形成装置は、請求項１乃至６の何れか１項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正９】
【補正対象書類名】明細書
【補正対象項目名】００２２
【補正方法】変更
【補正の内容】
【００２２】
請求項８の発明の画像形成装置は、請求項１乃至６の何れか１項に記載の光走査装置と、外部機器から入力したコードデータを画像信号に変換して前記光走査装置に入力せしめるプリンタコントローラとを有していることを特徴としている。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００８５
【補正方法】変更
【補正の内容】
【００８５】
尚、本実施例では補正板１９を用いたが、これに限らず、例えば光量検知センサー１４の検知感度（感度特性）が波長変動に対する全系の透過率変動と同一または比例になるように設定することでも上記の実施例３と同一の効果を得ることができる。
【手続補正１６】
【補正対象書類名】明細書
【補正対象項目名】００８６
【補正方法】変更
【補正の内容】
【００８６】
もしくは図１１に示すように半導体レーザー１の近傍（周囲）に温度変化をリアルタイムに測定する温度センサー２０を配置する。そして温度センサー２０からの出力信号より、温度変化があったとき、該半導体レーザー１から放射される光束の波長変動に伴う入射光学系ＬＡと結像光学系６の分光透過率の変動を予測手段２１により予測する。そして予測手段２１からの信号に基づいて、該半導体レーザー１の出力を制御手段１５により制御するように構成する。このように構成することによって上記の実施例３と同様な効果を得ることができる。